(57)【要約】【課題】構造が容易で安価に製作することができ、どのような玄関ドアであっても確実にロックすることができる玄関ドアのロック装置を提供する。【解決手段】建築物のドア用開口部の枠体Ａ側に形成された溝３２内に着脱自在に収容される突起部２８と、建築物のドアＢの外方に先端部が突出して配置され、南京錠２６を差し込むための孔３６が複数個形成された板状部３０とからなる枠体差込部材２２と、枠体差込部材２２に対し、当該枠体差込部材２２の先端側から挿入のために設けたスリット３４ａ，３４ｂ，３４ｃを介して一体的に組み込まれる平板ストッパ部材２４と、から構成され、枠体差込部材２２の先端側からスリット３４ａ，３４ｂ，３４ｃのいずれかを介して平板ストッパ部材２４を枠体差込部材２２に一体的に組付けた状態で、枠体差込部材２２の孔内３６に南京錠２６を挿入することにより、ドアＢの回動動作を規制するようにしたことを特徴とする。【選択図】図３
2012041735.tif 000002
【特許請求の範囲】
【請求項１】
建築物のドア用開口部の枠体側に形成された溝内に着脱自在に収容される突起部と、前記建築物のドアの外方に先端部が突出して配置され、南京錠を差し込むための孔が複数個形成された板状部とからなる枠体差込部材と、
前記枠体差込部材に対し、当該枠体差込部材の先端側から、挿入のために設けたスリットを介して一体的に組み込まれる平板ストッパ部材と、から構成され、
前記枠体差込部材の先端側から前記スリットを介して前記平板ストッパ部材を前記枠体差込部材に一体的に組付けた状態で、前記枠体差込部材の前記孔内に南京錠を挿入することにより、前記ドアの回動動作を規制するようにしたことを特徴とする玄関ドアのロック装置。
【請求項２】
前記枠体差込部材および前記平板ストッパ部材は、金属製であるとともに、前記平板ストッパ部材の裏面には、傷防止用のゴム製の面材が付設されていることを特徴とする請求項１に記載の玄関ドアのロック装置。
【請求項３】
前記枠体差込部材の前記板状部には、南京錠を挿入するための孔が少なくとも上下二段に渡って複数個形成されていることを特徴とする請求項１に記載の玄関ドアのロック装置。
【発明の詳細な説明】
【技術分野】
【０００１】
本発明は、玄関ドアのロック装置に関し、詳しくはマンションあるいはアパートなどの賃貸住宅の空き部屋となった物件に対し、管理者とは異なる他の仲介業者が入居希望者などを案内したりすることが必要な場合に、業者間での鍵の受け渡しという手間のかかる作業を省くことに寄与する玄関ドアのロック装置に関する。
【背景技術】
【０００２】
例えば、アパート・マンションなどの賃貸物件は、多くの仲介業者に入居希望者を案内してもらう必要がある。そのような場合、賃貸物件の管理会社と、入居希望者を紹介する仲介業者との間では、鍵の受け渡しが必要になるが、入居希望者を部屋に紹介する時点で鍵の受け渡しを業者間で行うことは、面倒な作業が強いられることになる。これを改善する手段として、様々な方法がとられている。
【０００３】
例えば、物件近くに、暗証番号で開くことのできる鍵ボックスを予め設置しておき、この鍵ボックスの中に空き部屋の鍵を必要に応じて保管するようにすれば、鍵ボックスの暗証番号だけを連絡しあうことにより、管理会社に出向くことなく複数の仲介業者が誰でも入居希望者を案内することができる。
【０００４】
しかしながら、このような場合には、実際の部屋の鍵を鍵ボックス内に一時的に保管する必要があることから盗難やいたずらなどに遭い易いという問題を抱えている。
一方、鍵ボックスの設置に変え、例えば、図４に示したようなロック装置２を設置する場合もある。このロック装置２を空き物件に設置すれば、部屋の錠を直接開け閉めしなくても、部屋の内部に入ることが可能になる。例えば、図４のロック装置２を使用する場合は、空きとなった部屋を常に開いた状態（オープン）にしておく。そして、図５に示したように建物側の枠体Ａに、図４に示した板状部材２ａを着脱自在に取り付けするとともに、この板状部材２ａの先端部に、一対のフランジ４，４を具備した駒部材２ｂを差し込んで、建物の枠体ＡとドアＢとの両間にフランジ４，４を差し渡す。そして、このフランジ４，４でドアＢの開閉動作を不能にし、さらに、ロック装置２の孔８ａ，８ｂ間に南京錠１０を差し渡すことにより、ドアＢのロックを確実なものとすることができる。
【０００５】
しかしながら、このロック装置２では、建物側の枠体Ａの凹凸形状やドアＢの厚さなどの違いにより、板状部材２ａおよび駒部材２ｂを設置できない場合があった。このような場合には、他の大きさのロック装置２を用意するか、あるいは全く異なる別のタイプのロック装置を用意しなければならない。すなわち、ロック装置２の構造は、汎用性に欠けるという問題があった。
【０００６】
また、ロック装置２の構造は、板状部材２ａや駒部材２ｂのフランジ４，４に適度の厚さを有していないと、ロックが機能しないため、板材の厚さが厚くなるという問題があった。
【０００７】
本発明はこのような実情に鑑み、構造が容易で安価に製造することができ、どのような玄関ドアであっても確実にロックすることができる玄関ドアのロック装置を提供することを目的としている。
【発明の概要】
【課題を解決するための手段】
【０００８】
上記目的を達成するための本発明に係る玄関ドアのロック装置は、
建築物のドア用開口部の枠体側に形成された溝内に着脱自在に収容される突起部と、前記建築物のドアの外方に先端部が突出して配置され、南京錠を差し込むための孔が複数個形成された板状部とからなる枠体差込部材と、
前記枠体差込部材に対し、当該枠体差込部材の先端側から、挿入のために設けたスリットを介して一体的に組み込まれる平板ストッパ部材と、から構成され、
前記枠体差込部材の先端側から前記スリットを介して前記平板ストッパ部材を前記枠体差込部材に一体的に組付けた状態で、前記枠体差込部材の前記孔内に南京錠を挿入することにより、前記ドアの回動動作を規制するようにしたことを特徴としている。
【０００９】
このような構成の玄関ドアのロック装置によれば、どのような建物であっても、ドアを固定するための溝を有し、しかもその溝はある範囲内の大きさであるため、その溝に枠体差込部材の突起部を収容することができる。
【００１０】
また、枠体差込部材を構成し建物外方に突出する板状部は、ドアのロックに直接関与しないので、板厚を薄くすることが可能である。むしろ、若干の変形性を持たせることが好ましく薄い板材で良いことから、多数の孔を形成し易くなる。
【００１１】
一方、ドアのロックに直接関与する平板ストッパ部材は、単純な平板形状で良く、複雑な加工を必要としない。したがって、安価に提供することができる。
ここで、本発明では、前記枠体差込部材および前記平板ストッパ部材は、金属製であるとともに、前記平板ストッパ部材の裏面には、傷防止用のゴム製の面材が付設されていることが好ましい。
【００１２】
このように平板ストッパ部材のドアの外表面に対向する側にゴム製の面材を付設すれば、ドアに傷を付けることを防止できる。
また、本発明では、前記枠体差込部材の前記板状部には、南京錠を挿入するための孔が少なくとも上下二段に渡って複数個形成されていることが好ましい。
【００１３】
このような構成であれば、数ミリ単位で南京錠を通すための孔を選択することができるので、ドアを確実に閉じた状態で移動不能に固定することができる。
【発明の効果】
【００１４】
本発明に係る玄関ドアのロック装置によれば、単純な構造でありつつ薄い金属材料から大量生産することができ、安価に製造することができる。また、どのような建築物にも適用することができ、汎用性が高い。
【００１５】
さらに、平板ストッパ部材の裏側にゴム製の面材を付設することにより、ドアに傷がつくことを防止できる。
また、南京錠を挿入するための孔が多数形成されているので、適宜な孔を選択することができるとともに、その孔の加工も容易である。
【図面の簡単な説明】
【００１６】
【図１】図１は本発明の一実施例に係る玄関ドアのロック装置の分解斜視図である。
【図２】図２は図１に示した本実施例のロック装置における枠体差込部材を建物側の枠体に着脱自在に取り付けたときの斜視図である。
【図３】図３は図２の状態からドアを閉め、その後、平板ストッパ部材を枠体差込部材に挿入したときの斜視図である。
【図４】図４は従来のロック装置の分解斜視図である。
【図５】図５は図４のロック装置を取り付ける時の斜視図である。
【発明を実施するための形態】
【００１７】
図１は本発明の一実施例に係るロック装置２０を示したものである。  このロック装置２０は、互いに交差する態様で組み込まれる枠体差込部材２２と平板ストッパ部材２４との２部材から構成され、この２部材を図１のように一体的に組み付けた状態で、南京錠２６を差し込むことにより構成される。
【００１８】
すなわち、枠体差込部材２２は、例えば、一枚の金属板を折り曲げることで形成され、一端側に略コ字状に形成された突起部２８を有し、他端側に平板の板状部３０を延出している。
【００１９】
突起部２８の大きさは、図２に示したように、建物の枠体Ａに形成された溝３２内に着脱自在に収容される大きさを有し、その幅Ｓは、建物側の溝３２の幅Ｔより若干狭く形成されている。枠体差込部材２２の板状部３０には、上下２段に渡り水平方向に若干位置をずらして多数の孔３６が形成されている。
【００２０】
一方、図１に示したように、枠体差込部材２２の板状部３０に差し込まれる略矩形状の平板ストッパ部材２４は、金属製の基板部２４ａとゴム製の面材２４ｂとからなり、金属製の基板部２４ａには、予め縦方向に３本のスリット３４ａ、３４ｂ、３４ｃが所定間隔置きに形成されている。
【００２１】
平板ストッパ部材２４を構成する金属製の基板部２４ａとゴム製の面材２４ｂとの間は、接着剤あるいは両面テープなどで一体化されている。
本実施例によるロック装置２０は、上記のように構成されているが、以下に、使い勝手について説明する。
【００２２】
先ず、空き部屋となった部屋のドアＢを図３に二点鎖線で示したように開いた状態とし、建物の枠体Ａのドア用開口部を露出させ、この側面に形成された溝３２内に、図２に示したように枠体差込部材２２の突起部２８を着脱自在に収容する。
【００２３】
この状態では、枠体差込部材２２の先端側の板状部３０が建物の外側に突出して配置される。
この状態から、ドアＢを図３に示したように、矢印Ｃ方向に回動させ、ドアＢを枠体Ａに合致させる。すなわち、ドアＢを閉とする。
【００２４】
ドアＢを閉じたら、枠体差込部材２２の板状部３０の先端側に平板ストッパ部材２４を配置し、この平板ストッパ部材２４のいずれか一つのスリット３４ａ、３４ｂ、３４ｃを選択して、そのスリット３４ａ内に板状部３０を挿入する。
【００２５】
このとき、スリットは周囲の状況を見て平板ストッパ部材２４の挿入に衝突を生じさせないスリットが選択される。すなわち、例えばドアＢを入居者が開閉するためのノブと、平板ストッパ部材２４とが衝突しないスリットが選択される。
【００２６】
平板ストッパ部材２４を枠体差込部材２２の板状部３０の先端部から差し込むに際し、その板状ストッパ部材２４はできるだけドアＢの表面近くまで差し込まれることが好ましい。これにより、ドアＢの不用意な移動を防止することができる。なお、平板ストッパ部材２４の裏面側には、ゴム製の面材２４ｂが付設されているので、ドアＢに平板ストッパ部材２４が当接してもドアＢに傷がつくことは無い。
【００２７】
このようにして、平板ストッパ部材２４が所定距離、ドアＢ側に差し込まれたら、図１に示したように、南京錠２６を平板ストッパ部材２４の最も近くにある孔３６に取り付ければ、ドアＢを閉の状態にロックすることができる。この状態でドアＢを開こうとしても、平板ストッパ部材２４が開閉を遮断しているので、ドアＢが回動することはない。
【００２８】
上記のようにしてロック装置２０を枠体ＡとドアＢとの間に着脱自在に取り付けることができる。
このようなロック装置２０を空き部屋に着脱自在に取り付けることにより、例えば、賃貸住宅の管理者と、他の複数の仲介業者とが南京錠２６を開旋するためのカギ３８を予め共有していれば、空きとなった部屋のカギの直接の受け渡しを行わずに、南京錠２６を開閉操作することで、部屋の管理を行うことができる。
【００２９】
したがって、業者間で実際の部屋の鍵を直接やりとりする必要がなく、必要に応じて入居希望者を仲介業者が案内することができる。
以上、本発明の一実施例を説明したが、本発明は上記実施例に何ら限定されない。例えば、上記実施例では、マンションやアパートなどの賃貸住宅に適用したが、ビルの空き部屋、貸し倉庫、一軒家など、ドアが設置される様々な物件に適用可能である。また、平板ストッパ部材２４に形成されるスリットは３本に限定されない。さらに、この平板ストッパ部材２４の裏面側に付設されるゴム製の面材２４ａは、孔無しのものを貼り付けておき、設置場所でスリットを開口しても良い。
【符号の説明】
【００３０】
２０      ロック装置
２２      枠体差込部材
２４      平板ストッパ部材
２４ａ    基板部
２４ｂ    ゴムの面材
２８      突起部
３０      板状部
３２      溝
３４ａ、３４ｂ、３４ｃ    スリット
３６      孔
３８      カギ
Ａ        建物側の枠体
Ｂ        ドア
【図１】
2012041735.tif 000003
【図２】
2012041735.tif 000004
【図３】
2012041735.tif 000005
【図４】
2012041735.tif 000006
【図５】
2012041735.tif 000007